(57)【要約】【課題】嵩張らず、収納可能であり、ユーザに帯電していた静電気が良好に軽減除去され、迅速に体力が向上する体力向上装置を提供する。【解決手段】体力向上装置１は、六角形状をなす金属板２と、葱坊主状をなし、負に帯電させた粒状又は粉末状のＳｉ，ＳｉＯx （０＜ｘ≦２）を封入され、金属板２の各頂点に対応する部分に先端部が突出した状態で埋設された第１ガラス容器３と、円錐状をなし、負に帯電させた粒状又は粉末状のＳｉ，ＳｉＯx （０＜ｘ≦２）を封入され、金属板２の対角線に、頂点を交互に上下に向け、端部が突出した状態で複数埋設された第２ガラス容器４と、葱坊主状をなし、負に帯電させた粒状又は粉末状のＳｉ，ＳｉＯx （０＜ｘ≦２）を封入され、大きさが第１ガラス容器３より大きく、金属板２の略中央部に設けられた第３ガラス容器５と、金属板２に内蔵され、金属板２を振動させる振動装置とを備える。【選択図】図１
2013085618.tif 000002
【特許請求の範囲】
【請求項１】
多角形状をなし、銅板、アルミニウム板、及び銅板を積層してなる金属板と、
葱坊主状をなし、負に帯電させた粒状又は粉末状のＳｉ，ＳｉＯx （０＜ｘ≦２）を封入され、前記金属板の各頂点に対応する部分に、先端部が突出した状態で埋設された第１ガラス容器と、
円錐状をなし、負に帯電させた粒状又は粉末状のＳｉ，ＳｉＯx （０＜ｘ≦２）を封入され、前記金属板の対角線に、頂点を交互に上下に向け、端部が突出した状態で複数埋設された第２ガラス容器と、
葱坊主状をなし、負に帯電させた粒状又は粉末状のＳｉ，ＳｉＯx （０＜ｘ≦２）を封入され、大きさが前記第１ガラス容器より大きく、前記金属板の略中央部に設けられた第３ガラス容器と、
前記金属板を振動させる振動装置と
を備えることを特徴とする体力向上装置。
【発明の詳細な説明】
【技術分野】
【０００１】
本発明は、人が乗ることで体力が向上する体力向上装置に関する。
【背景技術】
【０００２】
近年、スポーツ能力向上及び老化防止等のために、複数種類の筋力増強トレーニング装置を用いて筋肉増強トレーニングを行うジム等に通う者が増えている。筋肉は、日常生活では受けることがない強い負荷（過負荷）を受けた場合、筋肉を形成する筋線維の一部が損傷して疲労状態となり、一旦筋力が低下する。その後略３６〜７２時間で元の水準まで回復したのち、再び同様の負荷を与えられた際に備え、元の水準を超えて筋線維を成長させようとする（超回復）。最初の過負荷から略４８時間〜９６時間が超回復期間であり、この間は過負荷を受ける前よりも筋量及び筋力が向上している。その後何もしないと再び元の水準に戻ってしまうが、超回復期間中に再び筋肉へ過負荷をかけることを繰り返すことにより、徐々に筋量及び筋力を向上し続けていく。従って、ジムに行った後、超回復期間中に再度ジムに行くことが好ましいが、時間的制約及び費用等の観点から、２日〜４日毎にジムに通うのは困難である。仮に２日〜４日毎にジムに通えたとしても、筋量及び筋力の向上の度合いは緩やかである。
【０００３】
一つで複数種類の筋肉の増強を行うことができ、家庭等においても空き時間に気軽に筋肉増強トレーニングを行うことができる、種々の筋肉増強トレーニング装置が開発されている。
例えば特許文献１には、ベルト機構上で歩行している歩行者に対して、負荷として任意の張力又は押圧力を与える擬似ローラ、擬似ローラによる張力又は押圧力を検出する力検出手段、前記ベルト機構上での歩行者の歩行動作を検出する歩行動作検出手段、及び前記力検出手段及び前記歩行動作検出手段のそれぞれの検出出力に基づいて、前記ベルト機構のベルトの移動速度を制御するための制御手段を備えた歩行装置を用いた筋力増強支援装置の発明が開示されている。
この筋力増強支援装置によれば、広いグラウンド等において、ローラを引いたり押したりする「ローラ引き」と称されるトレーニングを、ローラを引く際の抵抗力を容易に変更して行うことができ、足の筋肉のみではなく、腰、上半身、及び下半身等、体全体の筋肉を鍛えることができる。
【先行技術文献】
【特許文献】
【０００４】
【特許文献１】特開２００２−２７２８７３号公報
【発明の概要】
【発明が解決しようとする課題】
【０００５】
しかし、特許文献１の筋力増強支援装置は広い設置スペースを要するので、家庭内に設置することは困難である。また、家庭内に設置したとしても、筋量及び筋力の向上の度合いは緩やかである。
【０００６】
本発明は斯かる事情に鑑みてなされたものであり、嵩張らず、収納可能であり、迅速に体力が向上する体力向上装置を提供することを目的とする。
【課題を解決するための手段】
【０００７】
本発明に係る体力向上装置は、多角形状をなし、銅板、アルミニウム板、及び銅板を積層してなる金属板と、葱坊主状をなし、負に帯電させた粒状又は粉末状のＳｉ，ＳｉＯx （０＜ｘ≦２）を封入され、前記金属板の各頂点に対応する部分に、先端部が突出した状態で埋設された第１ガラス容器と、円錐状をなし、負に帯電させた粒状又は粉末状のＳｉ，ＳｉＯx （０＜ｘ≦２）を封入され、前記金属板の対角線に、頂点を交互に上下に向け、端部が突出した状態で複数埋設された第２ガラス容器と、葱坊主状をなし、負に帯電させた粒状又は粉末状のＳｉ，ＳｉＯx （０＜ｘ≦２）を封入され、大きさが前記第１ガラス容器より大きく、前記金属板の略中央部に設けられた第３ガラス容器と、前記金属板を振動させる振動装置とを備えることを特徴とする。
【０００８】
ここで、負に帯電するとは、負電荷を与えられること、負の静電気を帯びることを意味し、マイナスイオン化ともいう。Ｓｉの酸化物としては、ＳｉＯ2 又はＳｉＯだけでなく、ｘとして小数点付きの酸化物もあり、この存在は永見剛一が著した「ＳｉＯ蒸着膜の性質」という研究論文で明らかにされている。
本発明においては、人が乗ることで、第１ガラス容器、第２ガラス容器、及び第３ガラス容器から負電荷が供給され、人体に帯電していた静電気が良好に軽減除去される。負電荷が生体に供給され、人体に帯電していた正の静電気が軽減除去されると、体液等の流れが良くなり、血圧下降、血糖減少、血管拡張及び利尿促進等の生体作用が生じることが知られている。その結果、速効で良好に体力が向上する。
【発明の効果】
【０００９】
本発明の体力向上装置によれば、嵩張らず、収納可能であり、ユーザに帯電していた静電気が良好に軽減除去され、迅速に体力が向上する。
【図面の簡単な説明】
【００１０】
【図１】本発明の実施の形態に係る体力向上装置を示す斜視図である。
【図２】本発明の実施の形態に係る体力向上装置を示す平面図である。
【図３】本発明の実施の形態に係る体力向上装置を示す底面図である。
【図４】本発明の実施の形態に係る体力向上装置を示す側面図である。
【図５】図２のＡ−Ａ′拡大図である。
【図６】図２のＢ−Ｃ部拡大図である。
【図７】図３のＤ−Ｄ′拡大図である。
【図８】図６のＥ−Ｅ′断面図である。
【図９】第１ガラス容器及び第３ガラス容器の形状を示す模式図である。
【図１０】本発明の実施の形態に係る体力向上装置の製造に適用する負電荷付与装置を示す斜視図である。
【図１１】メタリックシリコンを焼成する建物及び敷地を示す側面図である。
【図１２】メタリックシリコンを焼成する建物及び敷地を示す平面図である。
【発明を実施するための形態】
【００１１】
以下、本発明をその実施の形態を示す図面に基づき具体的に説明する。
図１は本発明の実施の形態に係る体力向上装置１を示す斜視図、図２は体力向上装置１を示す平面図、図３は本発明の実施の形態に係る体力向上装置を示す底面図、図４は本発明の実施の形態に係る体力向上装置を示す側面図、図５は図２のＡ−Ａ′拡大図、図６は図２のＢ−Ｃ部拡大図、図７は図３のＤ−Ｄ′拡大図、図８は図６のＥ−Ｅ′断面図である。
【００１２】
体力向上装置１は、六角形状をなす金属板２と、葱坊主状をなし、負に帯電させた粒状のメタリックシリコン１０を封入され、金属板２の各頂点に対応する部分に設けられた第１ガラス容器３と、円錐状をなし、負に帯電させた粒状のメタリックシリコン１０を封入され、金属板２の一の対角線に、頂点を交互に上下に向けた状態で複数埋設された第２ガラス容器４と、葱坊主状をなし、負に帯電させた粒状のメタリックシリコン１０を封入され、大きさが第１ガラス容器３より大きく、金属板２の略中央部に設けられた第３ガラス容器５と、金属板２を振動させる振動装置６とを備える。
【００１３】
金属板２は、銅板２１、アルミニウム板２２、及び銅板２１を積層してなる。アルミニウム板２２の厚みは銅板２１の略２倍である。そして、金属板２の平面視の向かい合う二辺は略平行であり、向かい合う一組の二辺は他の四辺より長さが短い。金属板２の寸法の一例として、短辺の長さ３８０ｍｍ、短辺間の距離１０００ｍｍ、横幅１５００ｍｍの場合が挙げられる。
【００１４】
第１ガラス容器３及び第３ガラス容器５は、図９に示すように、半径Ａｍｍの球Ｂの上側に、高さ略Ａｍｍであり、母線がやや凹んだ円錐を連設し、球Ｂの下側に、高さ略０．４Ａｍｍであり、母線がやや凹んだ円錐を連設してなる（以上、内寸法）。
第１ガラス容器３，第３ガラス容器５の大きさの一例（内寸法）として、球Ｂの直径が３０ｍｍ，１００ｍｍ、高さが５０ｍｍ，１７０ｍｍの場合が挙げられる。
第１ガラス容器３は、図８に示すように、金属板２の厚み方向に丸孔の大孔５０と六角孔の小孔５１とを連設した埋設孔５２に収容されている。第１ガラス容器３は埋設孔に充填されたエポキシ樹脂等の接着剤により固定されている。第３ガラス容器５も同様にして、金属板２に固定されている。
【００１５】
第２ガラス容器４の円錐の大きさの一例（内寸法）として、底面の半径３０ｍｍ、高さ５０ｍｍの場合が挙げられる。
第３ガラス容器５から、金属板２の向かい合う頂点まで、対角線上に第２ガラス容器４は各１０個、上述したように円錐の各頂点を交互に上下に向けた状態で埋設されている。第２ガラス容器４は、図８に示すように、金属板２の厚み方向に丸孔の大孔６０と六角孔の小孔６１とを連設した埋設孔６２に収容され、エポキシ樹脂等の接着剤により固定されている。
【００１６】
平面視で、金属板２の各短辺の中央部と第３ガラス容器５との略中間の位置には、振動モータ６，６が埋設されている。この振動モータ６の一例として、マクソンモーターが挙げられる。
【００１７】
第１ガラス容器３、第２ガラス容器４、第３ガラス容器５に封入されるメタリックシリコン１０は、以下のようにして負に帯電させてある。
図１０は、本実施の形態に係る体力向上装置１の製造に適用する負電荷付与装置を示す斜視図である。
負電荷付与装置は、石英坩堝１５、銅板１６、コード１７及び静電気発生装置１８（特許第４５０８４４２号）を備えたものである。開口面の内径が略４０ｃｍ、高さが略４０ｃｍの石英坩堝１５の開口側外縁部及び底部が、それぞれ銅板１６及びコード１７を介して静電気発生装置１８に接続されている。
静電気発生装置１８を作動させ、石英坩堝１５にマイナスイオンを３時間程度供給し、石英坩堝１５から正の静電気を十分に除去した後、Ｓｉ純度が９９．５％のメタリックシリコン（粒径０．２〜２ｍｍ）１０を１ｋｇ、開口側から石英坩堝１５に投入し、静電気発生装置１８を作動させた状態で、所定時間（３〜１５分）放置し、メタリックシリコン１０に負電荷を付与させる。
【００１８】
次に、前記メタリックシリコン１０を焼成する。
図１１は、メタリックシリコン１０を焼成する建物及び敷地を示す側面図であり、図１２はその平面図である。１００坪の敷地３２の中央部に、建物３１（底面３．６ｍ×９．０ｍ）が建てられている。敷地３２の四隅と中央（建物３１の中央）には、地下５ｍの深さに、長さ１．５ｍ、直径８ｃｍのガラス管９１に、粒状又は粉末状の５〜６ｋｇの珪素（Ｓｉ）９２を封入、密閉したものであるイオン棒９（特許第２８９６７６２号）がその長手方向を上下方向に一致させて、埋設されている。建物３１の中央部には電気炉３３が配置されている。
【００１９】
上述のようにして負に帯電したメタリックシリコン１０を石英坩堝１５から陶器製の坩堝３４に移し、これを、電気炉３３に入れ、８００〜１３００℃で、３０分〜２時間焼成する。坩堝３４は底面の直径が３０ｃｍ、高さ２０ｃｍである。この坩堝３４も石英坩堝１５と同様にして予め負電荷を付与されている。焼成後にメタリックシリコン１０は赤、青、緑、黄、紫、エンジ及び金色のうちのいずれかの色になる。
なお、イオン棒９のガラス管９１の長さ及び直径、並びにＳｉ９２の量は、建物３１及び敷地３２の大きさ等により適宜選択すればよい。イオン棒９の埋設位置、深さ及びその個数も、建物３１及び敷地３２の大きさ及び形状等を考慮して適宜選択する。
そして、この実施形態においては、ガラス管９１にＳｉ９２を封入しているが、ＳｉＯx を封入してもよい。この場合、ｘは、１．０＜ｘ≦２．０であるのが好ましい。
さらに、図１０の負電荷付与装置を用いる代わりに、メタリックシリコン１０を敷地２２内において１日から１週間以上放置し、その後焼成することにしてもよい。
【００２０】
以上のように構成された体力向上装置１は、振動モータ６，６を振動させた状態で、ユーザが乗って使用する。
ユーザが体力向上装置１に乗ったときに、第１ガラス容器３、第２ガラス容器４、及び第３ガラス容器５から負電荷が供給され、ユーザに帯電していた静電気が良好に軽減除去される。負電荷が生体に供給され、ユーザに帯電していた正の静電気が軽減除去されると、体液等の流れが良くなり、血圧下降、血糖減少、血管拡張及び利尿促進等の生体作用が生じる。そして、速効性良好に体力が向上する。また、病後の体力向上も図ることができ、この体力向上装置１に乗る、又は横たわることにより、食欲不振、不眠、だるさ、不快感がなくなり、爽快感、食欲等が得られることが確認されている。
【００２１】
［評価試験］
被験者Ａ、Ｂ、Ｃが体力向上装置１に乗り、乗る前と、乗った後（乗っている間）とで、持ち上げることができるバーベルの重量を測定した。その結果を下記の表１に示す。被験者Ａは６１歳の男性、被験者Ｂは６１歳の男性、被験者Ｃは５８歳の女性である。
【００２２】
【表１】
2013085618.tif 000003
【００２３】
表１に示すように、体力向上装置１に乗る前には、被験者Ａ及びＢは６０ｋｇのバーベルを持ち上げることができ、被験者Ｃは３０ｋｇのバーベルを持ち上げることができたが、体力向上装置１に乗ることにより、被験者Ａ及びＢは１００ｋｇのバーベルを楽に持ち上げることができるようになり、被験者Ｃは５０ｋｇのバーベルを楽に持ち上げることができるようになったことが確認された。
【００２４】
前記第１ガラス容器３、第２ガラス容器４、及び第３ガラス容器５により人体に負電荷が供給され、人体の正の静電気が零又は負に転じることを確認するために、静電気測定機（セルミ医療器株式会社製の「ＦＭＸ００２  ＳＥＲ．Ｎｏ．０２９８３」）を用い、体力向上装置１の使用の前後で、被験者Ａ、Ｂ、Ｃの頭髪の静電電位を測定した。その結果を下記の表２に示す。
【００２５】
【表２】
2013085618.tif 000004
【００２６】
表２より体力向上装置１の使用の前後で、正の静電気が略零に転じたことが確認された。
【００２７】
また、２年前、胃ガンで胃を１／２切除した５１歳の男性は、これまで連日不快感があったが、体力向上装置１に仰向けに１〜２時間寝ることにより、気分が爽快になったことが確認された。
【００２８】
以上より、本実施の形態に係る体力向上装置１を使用することにより、ユーザに帯電していた正の静電気が軽減除去され、速効性良好に筋力が向上し、病後の体力も向上することが確認された。
そして、本実施の形態に係る体力向上装置１は、嵩が低いので、立てて収容することも可能である。
【００２９】
なお、体力向上装置１の金属板２の形状は六角形である場合に限定されるものではなく、多角形であればよい。また、第１ガラス容器３、第２ガラス容器４、及び第３ガラス容器５、金属板２の大きさ、及び配置等も前記実施の形態において説明した場合に限定されるものではない。そして、前記実施の形態においては、第１ガラス容器３、第２ガラス容器４、及び第３ガラス容器５にメタリックシリコン１０を封入している場合につき説明しているがこれに限定されるものはなく、ＳｉＯx を封入してもよい。この場合、ｘは、１．０＜ｘ≦２．０とする。
本発明は、請求項に示した範囲で種々の変更が可能である。すなわち、請求項に示した範囲で適宜変更した技術的手段を組み合わせて得られる実施形態も本発明の技術的範囲に含まれる。
【符号の説明】
【００３０】
１  体力向上装置
２  金属板
２１  銅板
２２  アルミニウム板
３  第１ガラス容器
４  第２ガラス容器
５  第３ガラス容器
６  振動装置
９  イオン棒
１０  メタリックシリコン
１５  石英坩堝
１６  銅板
１７  コード
１８  静電気発生装置
３１  建物
３２  敷地
３３  電気炉
３４  坩堝
【図１】
2013085618.tif 000005
【図２】
2013085618.tif 000006
【図３】
2013085618.tif 000007
【図４】
2013085618.tif 000008
【図５】
2013085618.tif 000009
【図６】
2013085618.tif 000010
【図７】
2013085618.tif 000011
【図８】
2013085618.tif 000012
【図９】
2013085618.tif 000013
【図１０】
2013085618.tif 000014
【図１１】
2013085618.tif 000015
【図１２】
2013085618.tif 000016